(57)【特許請求の範囲】
【請求項１】
乾き防止装置を備えた出没式筆記具であって、
前記筆記具の胴体として両端に先端開口と後端開口がそれぞれ形成される軸筒と、
前記軸筒の後端開口に挿設されるノック体と、
前記軸筒の一端に結合されるチップと前記軸筒の他端に結合される前記ノック体との間の前記軸筒に内設されるカートリッジと、
弾力により前記カートリッジを軸方向に押圧するように、前記カートリッジのチップ延長部に設けられる第１スプリング及び第２スプリングと、
前記第１スプリングにより軸筒の先端開口に押圧されるように、前記カートリッジのチップ延長部に載置されるリンクホルダと、
前記第２スプリングにより軸筒の先端開口に押圧されるように、前記リンクホルダ内にスライド可能に挿入され、前記カートリッジのカートリッジガイド溝に嵌合するリンク突起が設けられるリンクと、
ピン溝に嵌合する前記リンクの平行ピンによって前記リンクに作動的に結合されるボール状ドアと、
を有することを特徴とする出没式筆記具。  
【請求項２】
前記リンクホルダは、リンクが挿設されるリンク貫設孔と、前記リンク貫設孔に形成される阻止片と、を有する請求項１記載の出没式筆記具。
【請求項３】
前記リンクは、前記阻止片に当接して摺動が阻止されるように両側の対称方向に形成される扇形の突出翼部を有する請求項２記載の出没式筆記具。
【請求項４】
前記カートリッジは、テーパ面を有する中空軸であり、ノック体挿入口から前記チップまで層状にその直径が順次小さくなるように、最も大きい直径のタンク部と、前記タンク部より相対的に小さな直径の継手部と、を有し、この継手部より相対的に小さな直径のチップ延長部が一体に形成される請求項１記載の出没式筆記具。
【請求項５】
前記カートリッジの継手部には、スライド時前記軸筒の環状突起に接触するようにＯリングが外嵌される請求項４記載の出没式筆記具。
【請求項６】
前記軸筒の球面部と前記先端開口との間には、ドアシートが環状に突設される請求項１記載の出没式筆記具。
【請求項７】
乾き防止装置を備えた出没式筆記具であって、
チップを出没させるように前記軸筒の後端開口に挿設されるノック体と、
前記軸筒の一端に結合される前記チップと前記軸筒の他端に結合される前記ノック体との間の前記軸筒に内設されるカートリッジと、
弾力により前記カートリッジを軸方向に押圧して元の位置に復帰させるように、前記カートリッジのチップ延長部に設けられるスプリングと、
前記スプリングにより押圧されて前記軸筒の内壁に沿って摺動するように、前記カートリッジのチップ延長部に外嵌されるＯリングと、
前記Ｏリングの内部に一端が挿入された状態で前記カートリッジのチップ延長部に載置されるリンクホルダと、
前記リンクホルダ内にスライド可能に挿入され、複数の弾性片を介して弾性範囲内で前記カートリッジのクラッチ部に設けられるリンクと、
ピン溝に嵌合する前記リンクの平行ピンによって前記リンクに作動的に結合されるボール状ドアと、
を有することを特徴とする出没式筆記具。
【請求項８】
前記クラッチ部は、
前記チップ延長部に形成された段差部から順次にテーパ面と、
円周方向に半円状断面を有するクラッチ溝と、
半円状断面を有するすべり防止突起と、
を有する請求項７記載の出没式筆記具。
【請求項９】
前記弾性片には、前記クラッチ部のクラッチ溝に嵌入される弾性突起が形成される請求項７記載の出没式筆記具。
【請求項１０】
前記リンクホルダの後方部の内周縁一端には、前記リンクの嵌止片が嵌止されて前記リンクの摺動を阻止するように阻止片が形成される請求項７記載の出没式筆記具。
【請求項１１】
乾き防止装置を備えた出没式筆記具にであって、
チップを出没させるように前記軸筒の後端開口に挿設されるノック体と、
前記軸筒の一端に結合される前記チップと前記軸筒の他端に結合される前記ノック体との間の前記軸筒に内設されるカートリッジと、
弾力により前記カートリッジを軸方向に押圧して元の位置に復帰させるように、前記カートリッジのチップ延長部に設けられる第１スプリングと、
前記第１スプリングにより押圧されて前記軸筒の内壁に沿って摺動するように、前記カートリッジのチップ延長部に外嵌されるＯリングと、
前記Ｏリングの内部に一端が挿入された状態で前記カートリッジのチップ延長部に載置されるリンクホルダと、
前記リンクホルダの内部で第２スプリングにより前記軸筒の先端開口に押圧され、複数の弾性片を介して前記カートリッジのクラッチ部に設けられるリンクと、
ピン溝に嵌合する前記リンクの平行ピンによって前記リンクに作動的に結合されるボール状ドアと、
を有することを特徴とする出没式筆記具。
【請求項１２】
前記ボール状ドアは、前記リンクの平行ピンがピン溝に嵌合することによって、前記リンクの直線往復移動に対応して所定角度で回転可能に前記軸筒の内部に設けられる請求項１１記載の出没式筆記具。
【請求項１３】
前記リンクホルダの両前端には一双の回転支持軸が形成され、前記回転支持軸のヒンジ孔には前記ボール状ドアのヒンジ軸が回転可能に嵌合する請求項１１記載の出没式筆記具。
【発明の詳細な説明】
【技術分野】
【０００１】
本発明は、筆記具に関し、特に筆記具のペン芯からインキが出てくるチップを筆記具の使用時だけ突出させ、非使用時には気密状態でチップが筆記具の内部に没入できるようにする乾き防止装置を備えた出没式筆記具に関する。
【背景技術】
【０００２】
一般的に、筆記具を大別すると、ペン芯が軸筒内に固定されていてキャップ（以下、「蓋」という）を使用する固定式と、軸筒の一部を回転させることによって芯の一部が外に出るようにした回転繰出式と、軸筒の一部分を押すことによって、スプリングが移動してペン芯が出てくるようにするノック式と、ペン芯が出没するようにスライドさせる出没式がある。
【０００３】
ここで、出没式筆記具は、別途の蓋を開閉する不便さがなく使用することができる長所があるが、チップが出没する先端開口が筆記具の一端に単純に通孔されているため、油性インキなどのような不揮発性または揮発性が弱い筆記具だけに適用が限られる短所がある。
【０００４】
反面、揮発性が強いマーカーや、ホワイトペン、水性ペン、蛍光ペンなどは、蓋を開閉するのに不便さがある。これを甘受しても、チップが空気中に長時間開放された状態で放置される場合、チップのインキが乾いて筆記具の寿命が短縮したり壊れたりする恐れがある。
【０００５】
それによって、多くの出願人は液状や半液状のインキ、または揮発性や不揮発性インキを使用する筆記具において、インキの乾燥を防止すると共に、チップを保護することができる新しい技術を開発するための多くの研究及び努力が続けられている。
【０００６】
ペン芯の乾燥防止と保護のための従来技術としては、特許文献１に開示された「乾燥防止機構を有するキャップレス筆記具」がある。この特許には出没式筆記具の押し部を押すと、ゴム紐の引長力によりペン芯部位を覆っているカバーが開いて、もう一度押すとカバーが閉まってペン芯部位を密閉させ、インキの乾燥を防止するための構造が開示されている。
【０００７】
しかし、ゴム紐の引長力を利用するためにカバーの開閉が速やかに作動しないだけでなく、耐久性の側面から見ても補完の余地があり、穴を臨時で閉じているカバーの気密状態が非常に不良な短所がある。
【０００８】
また、他の従来技術としては、１９９９年に登録された特許文献２の「チップ保護具を備えた出没式筆記具」がある。この例はチップ保護具を備えた出没式筆記具に関するもので、ペン芯に乾燥防止用のチップ保護具を備えて、商品の流通過程中にペン芯の先端を密閉してインキの乾燥を防止するための技術を開示している。
【０００９】
しかし、前述した特許文献２の技術は使用中にチップ保護具を廃棄しなければならないため、乾燥防止機能を失って主にボールペン形態の筆記具に限定して適用する。
【００１０】
もう一つの従来技術としては、１９９９年に登録された特許文献３の「ペン芯乾き防止装置」がある。これは出没式筆記具の押し部を押すと、ペン芯がゴムパッキングの切開溝を穿孔しながらペン芯が空気中に露出してペンを使用できるようにし、押し部を解除または再度押すことによって、ペン芯が元の位置に戻ると共に、ゴム弾性により切開溝が密閉されてインキの乾燥を防止するための機能を有するものである。
【００１１】
しかし、この方式は頻繁な使用により切開溝が塑性変形する恐れがあり、スライドしなければならない反対側の押し部の密閉が困難であり、密閉効率が低下する短所がある。
【００１２】
また、もう一つの従来技術としては、特許文献４の「分離しない弾性体蓋を備えた筆記具」がある。これはペン芯が貫通できるように切開溝をペン芯方向に形成し、反対方向の筆記具のガイド溝に密着した形態を有した弾性体蓋を備えることによって、蓋の後進時にペン芯が露出して筆記が可能な状態になり、蓋の前進時にはインキの乾燥を防止する状態になり、中間部位は筆記具胴体と同様の形状を維持する構造を有している。
【００１３】
しかし、特許文献４の方式もやはり、ペン芯が切開溝を通じて出没するため、ペン芯のインキが切開溝に付いて汚れる上、弾性変形が予想されるゴムリングのような補助具で切開溝を圧着させる方式を採択しているため、ペン芯が切開溝に直接接触してペン芯が破損・劣化する恐れがあり、耐久性が相対的に低下する短所がある。また、切開溝の周囲にはゴムリングが外部に表出しているため、外部物体との接触などによりゴムリングが破損するだけでなく、頻繁な使用により、切開溝で変形が発生して気密性が低下する恐れがある。
【特許文献１】特開昭６２−０１２５７０号
【特許文献２】大韓民国実用新案登録第１７２４８６号
【特許文献３】大韓民国実用新案登録第１７４２７９号
【特許文献４】大韓民国特許出願第１０−２０００−６５６９３号
【発明の開示】
【発明が解決しようとする課題】
【００１４】
したがって、前述した問題点を解決するための本発明の目的は、直接電動式で速やかに開閉される乾き防止装置によってペン芯の先端部であるチップが非接触式に出没しながら気密維持機能を行うことができ、別の蓋などを使用しなくてもチップにおけるインキの乾き現象を未然に防止できると共に、物理的にチップを安全に保護することができ、使用が簡便な乾き防止装置を備えた出没式筆記具を提供することにある。
【００１５】
また、本発明の他の目的はチップ延長部にいかなる溝も形成されていない状態で、Ｏリングを気密にスライドできるので、優れた気密性能を有する乾き防止装置を備えた出没式筆記具を提供することにある。
【課題を解決するための手段】
【００１６】
上記の目的を達成するために、本発明は、次の構成を有する乾き防止装置を備えた出没式筆記具を提供する。この出没式筆記具は、前記筆記具の胴体として両端に先端開口と後端開口がそれぞれ形成される軸筒と、前記軸筒の後端開口に挿設されるノック体と、前記軸筒の一端に結合されるチップと前記軸筒の他端に結合される前記ノック体との間の前記軸筒に内設されるカートリッジと、弾力により前記カートリッジを軸方向に押圧するように、前記カートリッジのチップ延長部に設けられる第１スプリング及び第２スプリングと、前記第１スプリングにより軸筒の先端開口に押圧されるように、前記カートリッジのチップ延長部に載置されるリンクホルダと、前記第２スプリングにより軸筒の先端開口に押圧されるように、前記リンクホルダ内にスライド可能に挿入され、前記カートリッジのカートリッジガイド溝に嵌合するリンク突起が設けられるリンクと、ピン溝に嵌合する前記リンクの平行ピンによって前記リンクに作動的に結合されるボール状ドアと、を有する。
【００１７】
また、上記の目的を達成するために、本発明は、次の構成を有する乾き防止装置を備えた出没式筆記具を提供する。この出没式筆記具は、チップを出没させるように前記軸筒の後端開口に挿設されるノック体と、前記軸筒の一端に結合されるチップと前記軸筒の他端に結合される前記ノック体との間の前記軸筒に内設されるカートリッジと、弾力により前記カートリッジを軸方向に押圧して元の位置に復帰させるように、前記カートリッジのチップ延長部に設けられるスプリングと、前記スプリングにより押圧されて前記軸筒の内壁に沿って摺動するように、前記カートリッジのチップ延長部に外嵌されるＯリングと、前記Ｏリングの内部に一端が挿入された状態で前記カートリッジのチップ延長部に載置されるリンクホルダと、前記リンクホルダ内にスライド可能に挿入され、複数の弾性片を介して弾性範囲内で前記カートリッジのクラッチ部に設けられるリンクと、ピン溝に嵌合する前記リンクの平行ピンによって前記リンクに作動的に結合されるボール状ドアと、を有する。
【００１８】
更に、上記の目的を達成するために、本発明は、次の構成を有する乾き防止装置を備えた出没式筆記具を提供する。この出没式筆記具は、チップを出没させるように前記軸筒の後端開口に挿設されるノック体と、前記軸筒の一端に結合されるチップと前記軸筒の他端に結合される前記ノック体との間の前記軸筒に内設されるカートリッジと、弾力により前記カートリッジを軸方向に押圧して元の位置に復帰させるように、前記カートリッジのチップ延長部に設けられる第１スプリングと、前記第１スプリングにより押圧されて前記軸筒の内壁に沿って摺動するように、前記カートリッジのチップ延長部に外嵌されるＯリングと、前記Ｏリングの内部に一端が挿入された状態で前記カートリッジのチップ延長部に載置されるリンクホルダと、前記リンクホルダの内部で第２スプリングにより前記軸筒の先端開口に押圧され、複数の弾性片を介して前記カートリッジのクラッチ部に設けられるリンクと、ピン溝に嵌合する前記リンクの平行ピンによって前記リンクに作動的に結合されるボール状ドアと、を有する。
【発明の効果】
【００１９】
本発明の乾き防止装置を備えた出没式筆記具は、別の蓋を開閉する不便さなく使用することができると共に、チップの出没によって軸筒の先端開口を開放及び閉鎖させることができるので、インキの乾き現象を防止できる。
【００２０】
また、本発明の乾き防止装置を備えた出没式筆記具は、ボール状ドアとＯリングによってチップを保管する軸筒の内部空間を気密に密閉させることによって、インキ寿命を相対的に増加させて製品の性能を極大化させることができる。
【００２１】
特に、本発明の乾き防止装置を備えた出没式筆記具は、直接電動式でボール状ドアを開閉させるメカニズムとして、第１スプリングとリンクホルダにより先端開口内側に形成された半球面にボール状ドアを密着させると共に、ボール状ドアの開閉作動を行うことのできる、優れた開閉性能を有する。
【００２２】
そして、本発明の乾き防止装置を備えた出没式筆記具は、使用者が片手で胴体ケースに該当する軸筒を握り、指でスイッチを操作してチップの出没を制御できるので、使用が非常に便利である。
【００２３】
また、本発明の乾き防止装置を備えた出没式筆記具は、チップ延長部のクラッチ部とリンクの弾性片の結合関係によりチップが位置する軸筒の内部空間を大きく縮小させ、ボール状ドアの開閉時ごとに流入する空気量が相対的に非常に低減するので、結果的にチップのインキ乾きをより効果的に防止できる。
【００２４】
更に、本発明の実施形態では一つのスプリングないし二つのスプリングを使用するタイプの乾き防止装置を備えた出没式筆記具を用いるが、いずれの場合においても、ボール状ドアの迅速な開閉が可能である。チップとボール状ドアが接触しないことによって、チップを安全に軸筒内に出没させることができる。
【００２５】
また、本発明の乾き防止装置を備えた出没式筆記具は、チップ延長部にいかなるスリットを形成しないタイプにも製作可能であるので、Ｏリングを利用して気密環境を相対的により一層改善できる。
【００２６】
更に、本発明の乾き防止装置を備えた出没式筆記具では、Ｏリングがリンクホルダの一部分を取り囲む状態で軸筒の内部に結合、すなわちＯリングが摺動せずにカートリッジのチップ延長部がＯリングを貫通した状態で摺動するので、より一層安定した気密性能を確保することができる利点がある。
【発明を実施するための最良の形態】
【００２７】
前述した本発明の目的、特徴、及び構成は、添付した図面を参照して詳細に後述する本発明の好ましい実施形態についての各説明によってより明確になる。
【００２８】
以下、添付の図面を参照して本発明の実施の形態を詳細に説明する。
【００２９】
また、全ての図面において同一ないし類似の部分は便宜上、同一ないし類似の符号を付けて説明する。
【００３０】
（実施の形態１）
図１Ａ及び図１Ｂは本発明の実施の形態１に係る筆記具を例示的に示す図面である。
【００３１】
その筆記具は単一のケースまたは両分可能なケース形態のうち、いずれかである軸筒１０になっており、この軸筒１０の内部には直接電動式乾き防止装置を備えている。
【００３２】
すなわち、本発明に係る直接電動式乾き防止装置は、軸筒１０の先端開口１１が乾き防止装置のボール状ドア９０により気密に密閉されている。この時、使用者がスイッチ２０を操作すると、ノック体３０を押す力が直接伝えられてボール状ドア９０を直接的に開閉させるようになっている。このような意味で、本発明で開示する乾き防止装置を直接電動式と呼ぶ。
【００３３】
ここで、軸筒１０のコーン状の一端にはチップ４１が出没する先端開口１１が形成されており、他端にはノック体３０が挿設される後端開口１４が形成されている。
【００３４】
すなわち、使用者は本発明に係る筆記具の軸筒１０を片手で握った後、親指などで筆記具上段の押し部に該当するノック体３０を押す。以後、スイッチ２０をガイドスリット１２の段差溝１３に嵌止されるように所定の回転角度に回転させて固定すればよい。本明細書の説明において、先端や前方とは、筆記具の使用のためにチップが前進する方向をいい、後方や後端とは、その反対にチップがノック体３０の方に後進する方向をいう。
【００３５】
この時、ノック体３０を使用者が押すと、ノック体３０とカートリッジ（図２の４０）に連動するボール状ドア９０は開放方向に「＋」９０°の回転角だけ回転することによって、チップ４１の軸方向に一致するように開放される貫通通路を提供すると共に、軸筒１０の先端開口１１を開放させる。
【００３６】
以後、チップ４１はボール状ドア９０により提供された貫通通路を通じて先端開口１１の外に突出することによって、使用可能な状態になる。
【００３７】
これとは反対に、筆記具の使用後に、使用者が固定されたスイッチ２０を所定の回転角だけ上記の回転方向とは反対方向に回転させると、スイッチ２０はガイドスリット１２の段差溝１３から突き出るようになる。それによって、先端開口１１の外に突出していたチップ４１は、軸筒１０に内蔵された図２で後述する第１及び第２スプリングによって元の位置、すなわち軸筒１０の内部に後進して挿入される。
【００３８】
以後、第１及び第２スプリングによってボール状ドア９０は閉鎖方向に「−」９０°の回転角だけ回転する。結局、ボール状ドア９０はチップ４１の軸方向と垂直の方向（以下、円周方向という）に回転しながら貫通通路を閉鎖すると共に、軸筒１０の先端開口１１を閉鎖するようになる。
【００３９】
以下、図２と、図３Ａないし図８Ｇを参照して本発明に係る筆記具の内部構成を詳細に説明する。ここで、図２は本発明の筆記具に対する内部構成要素を示す分解斜視図であり、図３Ａないし図８Ｇはこれらの内部構成品についての詳細な形状を示す図面である。
【００４０】
本発明に係る筆記具は、軸筒１０の先端開口１１を気密に開閉可能な乾き防止装置を備えている。詳細に後述するように、概略的な構成は、軸筒１０、この軸筒１０の内部に作動的に設けられるスイッチ２０、ノック体３０、カートリッジ４０、Ｏリング５０、第１スプリング６０、第２スプリング６５、リンクホルダ７０、リンク８０及び、ボール状ドア９０からなっている。これらの構成要素はそれぞれの形状を有し、所定の機能を提供するようになる。
【００４１】
図２、図３Ａ及び図３Ｂを参照すると、軸筒１０は筆記具の胴体ケースに該当するものとして、中共管やチューブの形状になっている。
【００４２】
また、軸筒１０はプラスチック素材で射出成形方式やモールド成形方式で製作可能である。
【００４３】
このように、プラスチック素材で製作した軸筒１０はプラスチックの一般的な特性、すなわち弾性、伸縮性の特性のうち、いずれかを持っている。
【００４４】
軸筒１０の一端はコーン状の先端開口１１になっており、他端にはノック体３０が挿設される後端開口１４が形成されている。軸筒１０の他端に形成された後端開口１４は、ノック体３０を含めて各種構成要素を挿入するのに十分な程°の内径を持っている。外形的に、ノック体３０は後端開口１４に摺動可能に貫設される。
【００４５】
前述したガイドスリット１２は軸筒１０の壁体を貫通して軸方向に延びると共に、先端部には円周方向に彎曲してフック状の段差溝１３が形成されている。
【００４６】
フック状に彎曲した段差溝１３はストッパーの役割をするものとして、スイッチ２０の連結軸２２が係合できるように略直角状に形成された係止隅部１３ａと、スイッチ２０の連結軸２２が円滑にスライドできるように湾曲状に形成された湾曲部１３ｂになっている。
【００４７】
結合スリット１５ａはガイドスリット１２の軸方向に一致するように形成することが好ましい。この結合スリット１５ａは後端開口１４の一縁部に形成される。結合スリット１５ａの入口は、スイッチ２０の連結軸２２が円滑に挿入できるように、先端が拡張されたラッパ管状に形成することが好ましい。また、一度結合スリット１５ａを通じてガイドスリット１２に挿設されたスイッチ２０の連結軸２２が容易に離脱しないようにするため、結合スリット１５ａとガイドスリット１２の境界線附近には複数の段差部１５ｂを形成することが好ましい。この場合、結合スリット１５ａの幅はガイドスリット１２の幅に比べて相対的に狭く形成する。
【００４８】
このようなガイドスリット１２及び結合スリット１５ａの形状的な特徴によって、後端開口１４は円周方向に若干拡張することができる。また、複数の段差部１５ｂによってガイドスリット１２からスイッチ２０が外部に容易に離脱しないように拘束できる。
【００４９】
すなわち、軸筒１０の結合スリット１５ａの周辺部がプラスチック素材で形成されているので、スイッチ２０を結合スリット１５ａを通じてガイドスリット１２に容易に挿入できるだけでなく、所定の弾性範囲内でスイッチ２０の結合時、若干広がっていた結合スリット１５ａが元の形状に復帰することによって、ガイドスリット１２からのスイッチ２０の離脱を阻止できる。
【００５０】
さらに、軸筒１０のコーン状端の内部には半円状の球面部１１ａが形成されている。この球面部１１ａは、それと結合するボール状ドア９０を円滑に回転させながら、安定した支持面を提供する役割をする。特に、球面部１１ａの表面にはグリースなどの極めて薄い厚さの潤滑剤が塗布されていることが好ましい。また、球面部１１ａと先端開口１１ｅとの間には若干突出て環状に形成された少なくとも一つのドアシート１１ｂが形成されている。ここで、ドアシート１１ｂはボール状ドア９０の球面と転がり接触することによって、結果的に軸筒１０内の気密性維持と共に、異質物の侵入を防止して、ボール状ドア９０の円滑な回転を助ける。
【００５１】
また、軸筒１０は気密保持のために、軸筒の内径より若干小さな直径の環状突起１０ａを軸筒１０の内周壁の所定部位で円周方向に若干突出するように形成した。ここで、環状突起１０ａの突出高さはＯリング５０の厚さと密接な関係がある。すなわち、ボール状ドア９０により軸筒１０の先端開口１１が閉鎖される最初ストロークの開始位置でＯリング５０が環状突起１０ａに密着することによって、結局、先端開口１１とＯリング５０との間の軸筒１０の内部空間を気密状態に維持できるからである。
【００５２】
また、一字状のスライド溝１０ｂは軸筒１０の後端開口１４の開始点から軸方向に所定位置まで延びるところにかけて形成されている。ここで、スライド溝１０ｂはカートリッジ４０の円周方向の回転を防止しながら、カートリッジ４０がスリット１２の軸方向に沿って直線移動できるように誘導する役割をする。
【００５３】
一方、軸筒１０はポケット、スキ間などに差し込んで携帯するために、図３Ａに点線で示したようなクリップ部１９を更に含むことが好ましい。
【００５４】
図２に示すように、スイッチ２０は本発明の筆記具の出没を制御する手段で使われる。
【００５５】
このスイッチ２０はノック体３０の小径周面に挿入される環状リング部２１を有する。例えば、スイッチ２０の環状リング部２１はノック体３０の小径周部３４上に回転可能に外嵌することが好ましい。更に、ノック体３０の小径周部３４は図９Ｂで後述するように、カートリッジ４０のノック体挿入口４２を通じてカートリッジ４０に内挿する。この時、ノック体３０の外周面は軸筒１０の後端内周面に回転可能に接触される。
【００５６】
また、スイッチ２０は環状リング部２１の表面から所定高さ（たとえば、軸筒１０の劈体より若干大きい高さ）を有するように一体に突出ている連結軸２２を備える。例えば、スイッチ２０の連結軸２２はガイドスリット１２に沿って摺動自在な程度の厚さを有することが好ましい。
【００５７】
また、スイッチ２０は連結軸２２の上段に一体に形成され、所定面積を有するタブ部２３を備える。ここで、タブ部２３は使用者がスイッチ２０を操作する時、接触面を提供する部分として、平滑面や半球状を有するか、滑り防止突起などが表面に形成された形状を有することができる。
【００５８】
図４Ａは図２に示したノック体３０の正面図であり、図４Ｂは図４Ａの線Ｂ−Ｂに沿う断面図である。
【００５９】
図２、図４Ａ及び図４Ｂを参照すると、ノック体３０は使用者の付勢力をカートリッジ４０に伝達する役割をする。このノック体３０は小径周部３４と大径周部が層をなしてチューブ状を有している。ノック体３０の小径周部３４の先端は開口しており、大径周部後端は閉鎖している。
【００６０】
ここで、ノック体３０の大径周部には把持感を増加させるための複数の凹凸３１が形成されている。また、ノック体３０の小径周部３４にはスイッチ２０の環状リング部２１が回転可能に外嵌され、この小径周部３４とノック体３０の先端との間には複数の滑り防止突起３２が形成されている。
【００６１】
ここで、ノック体３０の小径周部３４がノック体挿入口４２を通じてカートリッジ４０内に挿入される時、滑り防止突起３２は締りばめ結合で結合して、ノック体挿入口４２からノック体３０が容易に離脱しないようにする。
【００６２】
また、ノック体３０の内周縁にはノック体３０自体の構造的な剛性を増加させるため、複数の補強リーブ３３を軸方向に形成することが好ましい。
【００６３】
図５Ａは図２のカートリッジ４０の正面図であり、図５Ｂ、図５Ｃ及び図５Ｄはそれぞれ、図５Ａの線Ｃ−Ｃ、Ｄ−Ｄ、Ｅ−Ｅに沿う断面図である。
【００６４】
図２と、図５Ａないし図５Ｄを参照すると、カートリッジ４０はインキ貯蔵部に該当するものであり、所定容量の内部体積を有する。このカートリッジ４０は所定大きさ、例えば1°〜５°の傾斜度のテーパ面を有する中空軸であり、両端は開口しており、軸方向の所定位置には層が形成された外形を有する。
【００６５】
ここで、カートリッジ４０は一端に形成されたノック体挿入口４２から他端に形成されたチップ延長部４５まで層をなしながら順次直径が小さくなる形状を有する。すなわち、最も大きい直径のタンク部４３、このタンク部４３より相対的に小さな直径の継手部４４、この継手部４４より相対的に小さな直径のチップ延長部４５を一体に有している。
【００６６】
ノック体挿入口４２に隣接したタンク部４３の内周縁には、ノック体３０の滑り防止突起３２を締りばめ結合により固定させるため、環状に若干突出た高さを有するすべり防止部４３ａが形成されている。
【００６７】
また、タンク部４３の内周縁の中央部にはインキチューブ（不図示）などを固定すると共に、タンク部４３の耐久性を向上するための複数の固定リーブ４３ｂが形成されている。
【００６８】
タンク部４３の外周縁の後端には、スライド溝１０ｂ（図３Ｂ）に嵌入して摺動するスライド突起４３ｃが形成されている。
【００６９】
スライド突起４３ｃはスライド溝１０ｂにスライド結合方式で嵌入することによって、カートリッジ４０がスリット１２の軸方向直線移動できるように誘導すると共に、カートリッジ４０の回転を防止させる。
【００７０】
本発明では図示しなかったが、スライド突起４３ｃとスライド溝１０ｂはそれぞれ、カートリッジ４０と軸筒１０に複数形成することもできるのはいうまでもない。
【００７１】
また、チップ延長部４５の内周面には複数のインキ供給通路４６ａが形成されている。このチップ延長部４５の外周面には円周方向に１８０°の間隔を維持すると共に、軸方向に延びる複数のカートリッジガイド溝４６が形成されている。このカートリッジガイド溝４６には後述するリンク８０の内周壁に形成されたリンク突起８６（図７Ａないし図７Ｆ参照）が嵌入する。
【００７２】
また、チップ延長部４５の先端には該当筆記具の種類に対応した通常のインキ供給方式（たとえば、毛細管現像、圧力差、吸入などを利用する方式）によりタンク部４３に保管しているインキなどの内容物が供給されるチップ４１が固定される。
【００７３】
このチップ４１は筆記具の種類によって、油性または水性インキ用チップ、ホワイト液排出用チップ、蛍光ペン用チップ、マーカー用チップなどが使われて、それぞれのチップに対応したインキ供給方式を適用できる。
【００７４】
図２に示すように、Ｏリング５０はカートリッジ４０と共に軸筒１０の内周壁に沿ってスライドしながらカートリッジ４０と軸筒１０との間の気密を維持する手段である。このＯリング５０は前述したカートリッジ４０の継手部４４の外周に外嵌され、通常の水密ないし気密手段として用いるゴム、シリコン、軟質のプラスチック素材のうち、いずれかの材質で製造する。このＯリング５０はスライド時の摩擦を多少低減しながら、気密性能を最大に発揮できるように波状の摩擦突起５１を有する。
【００７５】
一方、図２に示すように、第１スプリング６０はカートリッジ４０の継手部４４に設けられる。このように設けられた第１スプリング６０の一端は継手部４４に外嵌されるＯリング５０の一側面に弾性支持され、他端はリンクホルダ７０の一側面に弾性支持される。
【００７６】
以後、第１スプリング６０は、筆記具の作動時カートリッジ４０のストローク距離内でリンクホルダ７０またはカートリッジ４０のうち、いずれかを軸方向に押し出す役割をする。
【００７７】
例えば、カートリッジ４０とノック体３０が前方に所定ストローク距離ぐらい前進する場合、第１スプリング６０は圧縮状態になる。それによって、第１スプリング６０に弾性エネルギーが蓄えられ、このエネルギーは付勢力の解除時に圧縮された状態から伸張する過程における弾性反力を発生してカートリッジ４０とノック体３０を元の位置に復帰させる。
【００７８】
本発明において、カートリッジ４０のストローク距離はノック体３０のストローク距離またはガイドスリット１２の長さのうち、いずれかと同様である。
【００７９】
また、図２に示した第２スプリング６５は、第１スプリング６６の内部でカートリッジ４０のチップ延長部４５に設けられる。このようにチップ延長部４５に設けられた第２スプリング６５の一端は継手部４４の一側面に弾性支持され、他端はリンク８０の一側面に弾性支持される。
【００８０】
このように弾性支持された第２スプリング６５は、筆記具の作動時リンク８０またはカートリッジ４０のうち、いずれかを軸方向に付勢する役割をする。
【００８１】
例えば、ノック体３０及びカートリッジ４０が前方に前進する時、第２スプリング６５は短い時間圧縮しながら蓄えた弾性エネルギーにより伸長しながらリンク８０を付勢することによって、リンク８０により回転可能に結合されたボール状ドア９０がスムーズで、かつ速やかに開閉できるようにする。
【００８２】
図６Ａは図２に示したリンクホルダ７０の後面部の形状を説明するための斜視図であり、図６Ｂと図６Ｃは図６Ａに示したリンクホルダ７０の正面図と左側面図であり、図６Ｄは図６Ｃの線Ｆ−Ｆに沿う断面図である。
【００８３】
図２、図６Ａないし図６Ｄを参照すると、リンクホルダ７０はチップ継手部４４に設けられた後、第１スプリング６０の弾力により付勢される時、ボール状ドア９０を軸筒１０の先端開口１１内側に形成された半球面に密着させる役割をする。
【００８４】
このリンクホルダ７０はその外観を見る時、相対的に直径が大きい前方部７１と相対的に直径が小さな後方部７２になっている中空型ブッシングの形状である。第１スプリング６０の一端は相対的に小さな直径を有するリンクホルダ７０の後方部７２を外嵌した後、前方部７１の一側面に弾性支持され、他端は前述したように、Ｏリング５０の一側面に弾性支持される。
【００８５】
また、リンクホルダ７０の内部にはリンク貫設孔７９が形成されている。このリンク貫設孔７９の前方部には半円状の球面部７０ａが形成されている。リンクホルダ７０の球面部７０ａは、それと結合するボール状ドア９０を円滑に回転させながら、安定的に支持する役割をする支持面を提供する。そして、球面部７０ａにも前述したような同一な機能の他のドアシート（不図示）を更に形成することができる。
【００８６】
リンク貫設孔７９には球面部７０ａの近く内周円から所定高さだけ局部的に突出て、
0004611055.tif 000002
のような阻止片７３が軸心方向に一致するように形成されている。
【００８７】
リンクホルダ７０のリンク貫設孔７９にはリンク８０が軸方向に挿設される。
【００８８】
この時、阻止片７３の断面形状はリンク８０後方部の
0004611055.tif 000003
に似ているので、リンク８０を断面形状に一致させて非常に容易に挿設することが可能になる。
【００８９】
前述したように挿設した後、作業者がリンクホルダ７０だけを９０°の角度で回転させると、リンクホルダ７０の阻止片７３が
0004611055.tif 000004
の状態から
0004611055.tif 000005
に回転し、リンク８０後方部は
0004611055.tif 000006
状態になる。
【００９０】
この場合、リンクホルダ７０とリンク８０の挿入及び組立は容易に行なえながらも、少なくともリンクホルダ７０の通孔状阻止片７３により挿入方向への離脱を阻止できる。
【００９１】
特に、リンクホルダ７０のリンク貫設孔７９の内周壁にはリンク８０の外周面との摩擦を最小化しながら、リンク８０を局部的に支持すると共に、空気の圧縮を最小化しながら、リンク８０の軸心がリンクホルダ７０の軸心に一致した状態でスライドできるようにするため、複数の一字状リンクホルダガイド突起７４が形成されている。このガイド突起７４は通孔状阻止片７３から後方部７２の先端側面まで延びる。
【００９２】
図７Ａないし図７Ｆはリンク８０の形状をより詳細に説明するための図面である。
【００９３】
図２と図７Ａないし図７Ｆを参照すると、リンク８０は一種のチューブ状を有する。すなわち、リンク８０の内部にはチップ継手部４４が挿入されるリンク穴８９が軸心方向に貫通形成されている。
【００９４】
このリンク８０はリンクホルダ７０のリンク貫設孔７９に挿設された後、第２スプリング６５によって弾性支持される。
【００９５】
リンク８０の後方端外周縁には前述した後方
0004611055.tif 000007
を提供する複数の突出翼部８１が扇形で対称して形成されている。また、リンク８０の胴体には翼部８１から前方に所定位置まで延びる複数の弾性スリット８５が形成されている。
【００９６】
弾性スリット８５はリンク８０の重量を最小化でき、筆記具の作動時に上下方向の振動ないし衝撃を減衰でき、弾性変形時に間隔を提供する利点を本発明のリンク８０に提供する。
【００９７】
また、リンク８０の前方下段には円周方向に平行するように延び、両端部が若干突出た形状の平行ピン８２が形成されている。この平行ピン８２の両端はボール状ドア９０の球面勾配に対応して面取りされている。
【００９８】
また、リンク穴８９の後方内周縁に複数のリンク突起８６が形成されている。このリンク突起８６はカートリッジガイド溝４６内で有限なストローク距離ぐらいスライドでき、リンク突起８６の外面がカートリッジガイド溝４６の前方内面に接触する時、係止片のような役割をするようになる。したがって、このリンク突起８６によってリンク８０はリンクホルダ７０の内部で軸方向に沿って一直線にスライドしたりフック動作したりすることができる。
【００９９】
また、平行ピン８２がボール状ドア９０のピン溝９２に嵌合することによって、リンク８０は「±」９０°の回転角だけ直接電動式でボール状ドア９０を回転させる役割をする。
【０１００】
図８Ａないし図８Ｇはボール状ドア９０の形状を説明するための図面である。
【０１０１】
図２と図８Ａないし図８Ｇを参照すると、ボール状ドア９０はリンク８０に連動する駆動リンクのような役割をするもので、結果的に先端開口１１を開閉させるドアの役割をする。
【０１０２】
そのために、ボール状ドア９０は略球状であり、両外周縁には軸心を通して開放した貫通通路９１を備えている。このボール状ドア９０は前述したようなリンク８０の平行ピン８２が挿設される複数のピン溝９２が偏心した位置に形成されている。ピン溝９２はそれぞれ貫通通路９１を介して両側壁に対向に傾斜して形成されている。
【０１０３】
ボール状ドア９０中の偏心した位置に傾斜して形成されたピン溝９２には平行ピン８２が嵌合され、リンク８０のスライドに使われた力をボール状ドア９０を所定の回転角範囲内で回転させる力に変換させるカム溝と類似の役割をする。
【０１０４】
特に、ボール状ドア９０は貫通通路９１の前方側内周縁に形成された段差部９３によってリンク８０のストロークを制限するようになる。
【０１０５】
以下、前述したそれぞれの構成要素の全体的な結合関係について説明する。
【０１０６】
図９Ａは図１Ａに示した筆記具の側面図であり、図９Ｂは筆記具の全体組立関係を説明するために図９Ａの線Ｌ−Ｌに沿う断面図である。
【０１０７】
軸筒１０の内部には前述したそれぞれの構成要素からなる内部作動モジュール１００が結合されている。
【０１０８】
内部作動モジュール１００においてノック体３０の一端はカートリッジ４０に嵌入された状態である。
【０１０９】
特に、ノック体３０とカートリッジ４０との間にはスイッチ２０の環状リング部２１が回転可能に結合されている。
【０１１０】
使用者のスイッチロック操作時、スイッチ２０の連結軸２２はノック体３０及びカートリッジ４０と共に前方にガイドスリット１２に沿って移動した後、段差溝１３の深さに対応した回転角度ぐらい回転して段差溝１３に嵌止される。
【０１１１】
使用者のスイッチ解除操作時、スイッチ２０の連結軸２２は上記の回転角度とは反対の方向に回転して段差溝１３から解除された後、第１スプリング６０及び第２スプリング６５によってガイドスリット１２に沿って後方に移動する。
【０１１２】
次に、図１０Ａないし図１０Ｃと、図１１Ａないし図１１Ｃを参照して、軸筒１０内部に結合された内部作動モジュール１００の前進時の作動状態を簡略に説明する。
【０１１３】
図１０Ａ及び図１１Ａは最初のストロークの開始位置でボール状ドア９０により先端開口１１が閉鎖された状態を示す。すなわち、ボール状ドア９０の貫通通路９１はカートリッジ４０の円周方向に向かっている。ここで、ボール状ドア９０の球面の一部は軸筒１０の先端開口１１近くのドアシート１１ｂに転がり接触することによって軸筒１０内の気密性を維持する。
【０１１４】
また、Ｏリング５０はカートリッジ４０の継手部４４に挿入されている。Ｏリング５０が環状突起１０ａに密着しており、ボール状ドア９０も先端開口１１に密着しているため、結局先端開口１１とＯリング５０との間の軸筒１０の内部空間は密閉状態となってインキの乾き防止が実現される。
【０１１５】
チップ４１はリンク８０により取り囲まれた状態である。チップ４１を固定したチップ延長部４５の複数のカートリッジガイド溝４６にはリンク８０のリンク突起８６がスライド可能に結合されている。ここで、カートリッジガイド溝４６の前方内面にはリンク突起８６の外面が接触している。
【０１１６】
第１スプリング６０はボール状ドア９０を回転可能に支持するほどのスプリング弾力をリンクホルダ７０に作用させて、ボール状ドア９０を軸筒１０の内部に載置させる。第２スプリング６５はいかなる弾性応力をも発生しない状態で、リンク８０と継手部４４との間に結合されている。
【０１１７】
図１０Ｂ及び図１１Ｂは使用者のスイッチロック操作によってノック体３０が押圧された場合、内部作動モジュール１００のノック体３０及びカートリッジ４０が前方に所定ストローク距離（たとえば、４ｍｍ）だけ移動した状態を示す。
【０１１８】
この場合は、第１スプリング６０は、図１０Ａ及び図１１Ａと同様の動作をするが、移動比率に対応して、より一層増加したスプリング弾力をリンクホルダ７０に作用させると共に、第２スプリング６５は、カートリッジ４０の前進移動により伝わった力を弾性反力の形態でリンク８０に伝達する。
【０１１９】
それによって、図１１Ｂの矢印ｆに示すように、リンク８０は所定ストローク距離ぐらい前進した状態で、リンク８０の平行ピン８２はボール状ドア９０のピン溝９２に沿ってスライドして、結局、ボール状ドア９０をＷの方向に「＋」９０°の回転角だけ回転させた状態になる。
【０１２０】
それによって、ボール状ドア９０の貫通通路９１はカートリッジ４０の軸方向に一致するように開放されている。これと共に、貫通通路９１の内部には前進したリンク８０とチップ４１が位置するようになる。
【０１２１】
この時、相変らずカートリッジ４０のチップ４１は、ボール状ドア９０の貫通通路９１内部に非接触の状態で貫通通路９１内に位置している。したがって、チップ４１のインキがボール状ドア９０の内部形状のどこにも付いていないようになり、先端開口１１の内側に位置したチップ４１の先端を肉眼で見ることができる。
【０１２２】
図１０Ｃと図１１Ｃは使用者がスイッチのロック操作のために継続的に内部作動モジュール１００を残りのストローク距離（たとえば、１２ｍｍ）ぐらい更に前進した状態を示す。
【０１２３】
また、前述したように、使用者はスイッチ２０を所定角度で回転させて、スイッチ２０をガイドスリット１２の段差溝１３に係止し、内部作動モジュール１００を軸筒１０の内部に固定させる。
【０１２４】
この時、チップ４１とチップ延長部４５の一部分は先端開口１１から完全に抜け出て、突出た状態を維持する。
【０１２５】
第１スプリング６０及び第２スプリング６５は全体ストローク距離（たとえば、１６ｍｍ）で前方に移動した状態であるから、弾性変形しない範囲内で圧縮されている。したがって、弾性反力を最大に発生させることができる状態になる。
【０１２６】
この状態で使用者は本発明の筆記具を使用することができる。
【０１２７】
反対に、使用者がスイッチ解除操作を行うと、突出た状態のチップ４１を軸筒１０の内部に没入させることができる。
【０１２８】
すなわち、使用者はスイッチ２０を、スイッチ２０の連結部２２がガイドスリット１２の段差溝１３から解除される方向に回転させる。
【０１２９】
この場合、チップの没入は、前述したものとは逆順に、すなわち図１１Ｃ、図１１Ｂ、図１１Ａの順序に作動する。チップの没入作動は、ボール状ドア９０により先端開口１１が閉鎖されると共に、チップ４１は軸筒１０の内部に気密を保持しつつすることができる。
【０１３０】
すなわち、第１スプリング６０及び第２スプリング６５が、弾性反力により軸方向に伸長すると共に、内部作動モジュール１００のうち、スイッチ２０、ノック体３０、及びカートリッジ４０を後進させる。
【０１３１】
この時、後進するカートリッジ４０と共にチップ延長部４５も後進するが、リンク突起８６は停止した状態である。このチップ延長部４５のカートリッジガイド溝４６は、チップ４１が図１０Ｂないし図１１Ｂに示したような位置まで没入する時、リンク突起８６がカートリッジガイド溝４６と比較して相対的にスライドできるようにする。
【０１３２】
以後、カートリッジガイド溝４６の前方内面がリンク突起８６の外面に接触する時、チップ４１はボール状ドア９０の貫通通路９１の内側に位置する。
【０１３３】
以後、続くカートリッジ４０の後進によって、カートリッジガイド溝４６の内面がリンク８０のリンク突起８６に接触した後、カートリッジガイド溝４６の内面は、リンク８０のリンク突起８６を後方に引っ張る。
【０１３４】
この場合、リンク８０の平行ピン８２はボール状ドア９０を「−」９０°の回転角だけ回転させ、このように回転したボール状ドア９０は先端開口１１を気密に密閉させる。
【０１３５】
（実施の形態２）
次に、添付した図１２ないし図１８Ｍを参照して本発明の実施の形態２に係る本発明の乾き防止装置を備えた出没式筆記具について詳細に説明する。
【０１３６】
図１２に示すように、本発明の筆記具は、軸筒１０の先端開口１１を開閉するものである。この筆記具は、有機的にスイッチロック作動とスイッチ解除作動ができるように軸筒１０の一端に設けられたスイッチ２０と、このスイッチ２０が装着され、使用者の指の押圧力を伝達するノック体３０と、このノック体３０に軸方向に挿入結合されるカートリッジ４０と、弾力を利用してカートリッジ４０を元の位置に復帰させるようにカートリッジ４０の前方に弾設されたスプリング６６と、軸筒１０の内壁に沿ってスライドできるようにカートリッジ４０のチップ延長部４５に外嵌される気密維持用のＯリング５０と、このＯリング５０の内側に一端が挿設されている状態でカートリッジ４０のチップ延長部４５上に設けられるリンクホルダ７０と、このリンクホルダ７０の内部でスライドできるようにチップ延長部４５上に設けられるリンク８０と、ピン溝９２に嵌合する前記リンク８０の平行ピン８２によって前記リンク８０に作動的に結合されるボール状ドア９０とを有する。
【０１３７】
一方、本発明は実施の形態１のスイッチ２０とガイドスリット１２を利用したカートリッジ出没装置だけでなく、通常の事務用ノック式ボールペンに使用するカートリッジ出没装置にも使用することができる。
【０１３８】
もちろん、本発明のノック体３０は、本出願人が出願した大韓民国特許出願第２００３−５５４１４号及び同第２００３−５６９４０号に詳細に開示したように、歯車部が回転可能に載置される別の歯車載置部を含むクリップ部と類似の方式で設計できることはいうまでもない。
【０１３９】
図１３に示すように、カートリッジ４０は以下のように設計したチップ延長部４５を有する。
【０１４０】
すなわち、チップ延長部４５の先端外周縁には円状断面を有し、チップ延長部４５の直径より大きく突出した直径を有するクラッチ部４７が形成されている。
【０１４１】
このクラッチ部４７の先端にはこのクラッチ部４７に比べて相対的に小さな直径の段差部４７ａが形成されている。
【０１４２】
クラッチ部４７は図１２に示したリンク８０を後方に引っ張る役割をするよう、クラッチ部４７は、段差部４７ａから後方に延びるテーパ面４７ｂと、円周方向に半円状断面を有するクラッチ溝４７ｃと、やはり半円状断面を有するすべり防止突起４７ｄが順次に形成されている。
【０１４３】
スプリング６６は、タンク部４３及び継手部４４に弾性支持され、チップ延長部４５に外嵌する。
【０１４４】
この時、スプリング６６は詳細に後述するようにＯリング５０のスプリング載置部５６に載置する。
【０１４５】
このように設けられるスプリング６６は、筆記具の作動時にカートリッジ４０のストローク距離内でＯリング５０またはカートリッジ４０のうち、いずれかを軸方向に付勢する役割をする。
【０１４６】
例えば、カートリッジ４０とノック体３０が前方に所定ストローク距離ぐらい前進する場合、スプリング６６は圧縮状態になりながら、内部には弾性エネルギーが蓄えられる。この弾性エネルギーにより付勢力の解除時には伸長しながら、スプリング６６を元の状態に復帰させる弾性復帰力が提供される。ここで、カートリッジ４０の所定ストローク距離は、ノック体３０のストローク距離ないしチップ４１が元の位置から突出する位置までの距離と同様である。また、カートリッジ４０とノック体３０が後方に復帰できるスイッチ解除状態である時、スプリング６６は、弾性復帰力によりノック体３０を含んでカートリッジ４０に結合された構成要素を元の位置に復帰させる役割をする。
【０１４７】
また、スプリング６６はカートリッジ４０を前進させるために使用者がノック体３０を通じて指で加える押圧力がＯリング５０、リンクホルダ７０、ボール状ドア９０のうち、いずれかに伝達される瞬間に発生する衝撃を減殺する役割をする。
【０１４８】
図１４に示すように、Ｏリング５０の小径穴５３及び大径穴５４が、Ｏリング５０の軸心と同心に形成されている。したがって、Ｏリング５０は、カートリッジ４０の継手部４４に外嵌することができる。
【０１４９】
Ｏリング５０の小径穴５３側の一端にはスプリング載置部５６が軸方向に突出して形成される。また、小径穴５３及び大径穴５４との境界地点には円周方向内側に延長され、半円状断面を有する第１気密突起５５が形成される。第１気密突起５５は、チップ延長部４５の外周面に接触すると共に、スライド時その材質的特性によって気密を維持する役割をする。
【０１５０】
Ｏリング５０の大径穴５４側の他端には円周方向に突出し、半円状断面を有する第２気密突起５７が形成されている。この第２気密突起５７は軸筒１０の内周面に接触すると共に、スライド時その材質的特性によって気密を維持する役割をする。ここで、第２気密突起５７はスライド時の摩擦を多少低減しながら、気密性能を最大限発揮できるように波状摩擦外周面を更に形成することが好ましい。
【０１５１】
図１５に示すように、リンクホルダ７０はチップ継手部４４に外嵌した後、スプリング６６の弾性付勢力によってＯリング５０に弾性支持され、図１２に示すように、ボール状ドア９０を軸筒１０の先端開口１１内側に形成された半球面に密着させる役割をする。
【０１５２】
このリンクホルダ７０の後方部７２の同軸方向の長さは、前述した実施の形態１の後方部７２の長さより相対的に長く形成されている。
【０１５３】
この時、リンクホルダ７０の後方部７２の直径はＯリング５０の大径穴５４の大きさに相応する直径を有する。
【０１５４】
リンクホルダ７０の内部にはリンク貫設孔７９が形成されている。リンク８０は、リンク貫設孔７９前方へ自由に摺動が可能であるが、後方への摺動は以下に述べるリンク８０及びリンクホルダ７０の形状的な特徴によって制限を受ける。
【０１５５】
すなわち、リンクホルダ７０の後方部７２の内周壁には、図１６に詳細に説明するリンク８０の嵌止片８０ｃが検知されてリンク８０のスライドを制限する役割をする阻止片７２ａが形成されている（図１８Ｃ参照）。
【０１５６】
また、リンクホルダ７０の内周壁には長時間使用後、異質物などによりリンク８０とリンクホルダ７０が固着することを防止し、リンク８０がリンク貫設孔７９に同心的に挿設されるようにガイドする斜め段差７６が形成されている。この斜め段差７６はリンク貫設孔７９の中間部位でリンク８０の外形に対応して円周方向に延びている。
【０１５７】
図１６に示すように、リンク８０のリンク穴８９の内周面はリンクホルダ７０の内部に気密に結合するように、詳細に前述したリンクホルダ７０のリンク貫設孔７９、阻止片７２ａ、斜め段差７６に対応する形状を有している。
【０１５８】
より詳細に説明すると、リンク穴８９の内周縁には傾斜面８３を基準に相対的に直径が若干大きい前方部８８と、相対的に直径が若干小さな後方部８７が形成されている。ここで、後方部８７は後述する弾性片８０ａの内周面に対応する。
【０１５９】
リンク８０は円周方向に所定角度（たとえば、９０°）の間隔を維持しながら、軸方向に一端だけが開口して形成された複数の弾性スリット８５を備えている。
【０１６０】
弾性スリット８５はリンク８０の後方部に設けられており、この弾性スリット８５の間には複数の弾性片８０ａが形成されている。
【０１６１】
リンク８０の弾性片８０ａの後方端の外周縁には嵌止片８０ｃが形成されており、後方端の内周縁には弾性突起８０ｂが形成されている。ここで、弾性突起８０ｂは図１３を通じて説明したクラッチ部４７のクラッチ溝４７ｃに嵌入できる形状を有する。
【０１６２】
それぞれの弾性片８０ｂはクラッチ部４７と密接な作動関係を有する。
【０１６３】
すなわち、カートリッジ４０が軸方向への摺動を開始する時、クラッチ部４７もカートリッジ４０と共に摺動を開始する。
【０１６４】
それぞれの弾性片８０ａの弾性突起８０ｂは最初の位置として図１３に示したようなクラッチ部４７のクラッチ溝４７ｃに嵌入していると共に、すべり防止突起４７ｄにより支持されている。また、弾性片８０ａの弾力に対応した摩擦力でカートリッジ４０のクラッチ部４７に臨時的に結着できる。
【０１６５】
それによって、弾性突起８０ｂを有するリンク８０はクラッチ溝４７ｃが形成されたカートリッジ４０と共に結着された状態でスライドできる。
【０１６６】
また、リンク８０はボール状ドア９０（図１７参照）の貫通通路９１の段差部９３に係止した状態でこれ以上スライドできなくなる。
【０１６７】
この場合、有限のストローク範囲内で続く摺動により、それぞれの弾性片８０ａが弾性スリット８５を基準に外側に拡張された後、再び復帰する。この過程で弾性片８０ａの弾性突起８０ｂがクラッチ部４７のクラッチ溝４７ｃから突き出る。つまり、リンク８０の停止状態においてもカートリッジ４０は前進移動できるようになる。
【０１６８】
また、リンク８０の前方下段には円周方向に平行するように延び、両端部が若干突出た形状の平行ピン８２が形成されている。この平行ピン８２の両端はボール状ドア９０の球面勾配に対応して面取りされている。
【０１６９】
また、平行ピン８２がボール状ドア９０のピン溝９２に嵌合することによって、リンク８０は「±」９０°の回転角だけ直接電動式でボール状ドア９０を回転させる役割をする。
【０１７０】
図１２及び図１７を参照すると、ボール状ドア９０はリンク８０に連動する駆動リンクのような役割をするもので、結果的に先端開口１１を開閉させるドアの役割をする。
【０１７１】
そのために、ボール状ドア９０はほぼ球状になっており、両外周縁には軸心を通して開放した貫通通路９１を備えている。
【０１７２】
この複数のピン溝９２は前述したようなリンク８０の平行ピン８２が挿設されるボール状ドア９０が偏心した位置に形成されている。それぞれのピン溝９２は貫通通路９１を介して両側壁に対向傾斜して形成されている。
【０１７３】
偏心した位置に傾斜して形成されたピン溝９２には平行ピン８２が嵌合され、リンク８０のスライドに使われた力をボール状ドア９０を所定の回転角範囲内で回転させる力に変換させるカム溝と類似の役割をする。
【０１７４】
特に、ボール状ドア９０は貫通通路９１の前方側内周縁に形成された段差部９３によってリンク８０のストロークを制限するようになる。
【０１７５】
以下、前述したそれぞれの構成要素の全体的な結合及び作動関係について説明する。
【０１７６】
図１８Ａは実施の形態２に係る筆記具の側面図であり、図１８Ｂは図１８Ａの線Ｍ−Ｍに沿う断面図であり、図１８Ｃは図１８Ｂの円Ｚに関する拡大断面図である。これらの図面に示すように、軸筒１０の内部には前述したそれぞれの構成要素が結合されている。
【０１７７】
すなわち、カートリッジ４０は軸筒１０に内設されており、ノック体３０はカートリッジ４０の一端に締まりばめなどの方式で結合されている。
【０１７８】
ノック体３０とカートリッジ４０との間にはスイッチ２０のリング部２１が回転可能に介装されている。
【０１７９】
使用者のスイッチロック操作時、スイッチ２０の連結軸２２はノック体３０及びカートリッジ４０と共に前方にガイドスリット１２に沿って移動した後、段差溝１３の深さに対応した回転角度ぐらい回転して段差溝１３に嵌止される。
【０１８０】
使用者のスイッチ解除操作時、スイッチ２０の連結軸２２は、前記の回転角度とは反対方向に回転して段差溝１３から解除された後、スプリング６６の弾力によりガイドスリット１２に沿って後方に移動して復帰する。
【０１８１】
これをより詳細に説明すると、最初ストロークの開始位置においてはボール状ドア９０は先端開口１１を閉鎖した状態を維持している。
【０１８２】
すなわち、ボール状ドア９０の貫通通路９１はカートリッジ４０の円周方向に向かっている。
【０１８３】
Ｏリング５０はリンクホルダ７０とスプリング６６との間に配設されている。ここで、Ｏリング５０の大径穴５４はリンクホルダ７０の後方部７２に外嵌されている。特に、Ｏリング５０の第１気密突起５５はカートリッジ４０のチップ延長部４５の外周面と面接触すると同時に、クラッチ部４７のすべり防止突起４７ｄに密着しており、第２気密突起５７は軸筒１０の内周面と面接触している。
【０１８４】
万一、チップ延長部４５に何らかのスリットなどが形成されていれば、気密維持性能が相対的に低下するが、本発明ではいかなるスリットもチップ延長部４５の外周面に形成されていない。
【０１８５】
前述したように、Ｏリング５０は気密を維持すると共に、ボール状ドア９０は先端開口１１に密着しているので、結局先端開口１１とＯリング５０との間の軸筒１０の内部空間は密閉状態が維持されてチップ４１のインキの乾き防止が実現できる。
【０１８６】
特に、Ｏリング５０がリンクホルダ７０の後方部７２を直接取り囲んだ状態で外嵌ため、内部空間の体積が前述した実施の形態１の同一または類似位置の内部空間に比べて相対的に小さいので、空気の流入量がその分だけ小さくなり、より一層優れたインキの乾き防止が実現できる。
【０１８７】
一方、チップ４１はリンク８０により取り囲まれた状態で内設されており、リンク８０はリンクホルダ７０のリンク貫設孔７９に内挿されている。この時、リンク貫設孔７９の内部でリンク８０の弾性片８０ａの弾性突起８０ｂは、カートリッジ４０のクラッチ部４７のクラッチ溝４７ｃに嵌入しているので、クラッチ部４７とリンク８０が共に移動できるようになる。
【０１８８】
また、スプリング６６はボール状ドア９０を回転可能に支持するほどのスプリング弾力をＯリング５０を通じてリンクホルダ７０に作用させる。それによって、結局ボール状ドア９０を軸筒１０の内部に載置させる。
【０１８９】
図１８Ｄは実施の形態２に係る筆記具の側面図であり、図１８Ｅは図１８Ｄの線N−Nに沿う断面図である。図１８Ｄと図１８Ｅには使用者のスイッチロック操作ないしノック体押し操作によってノック体３０が極めて小さなストロークの距離、たとえば、２ｍｍ程度に押圧された場合、ノック体３０及びカートリッジ４０が前方にストローク距離ぐらい移動した状態が示されている。
【０１９０】
この時、スプリング６６は前述した状況と同様であるが、移動比率に対応してより一層増加したスプリング弾力をＯリング５０及びリンクホルダ７０に作用させる。
【０１９１】
また、このような状態において、カートリッジ４０のクラッチ部４７と、それに結合したリンク８０はストローク距離ぐらい移動している。この時、クラッチ部４７のすべり防止突起４７ｄはＯリング５０の第１気密突起５５から分離する。
【０１９２】
この場合、リンク８０の平行ピン８２は直接ボール状ドア９０のピン溝９２に沿って摺動することによって、ボール状ドア９０を「＋」４５°の回転角だけ回転させる。
【０１９３】
図１８Ｆは実施の形態２に係る筆記具の側面図であり、図１８Ｇは図１８Ｆの線O−Oに沿う断面図である。これらの図面に示すように、続く使用者のノック体押し操作によってノック体３０が所定ストローク距離（たとえば、２ｍｍ）ぐらい更に押圧された場合、ノック体３０及びカートリッジ４０が前方にストローク距離ぐらい更に移動するようになる。
【０１９４】
この場合、リンク８０の平行ピン８２はボール状ドア９０のピン溝９２に沿って更に摺動するようになって、ボール状ドア９０を「＋」４５°の回転角だけ更に回転させる。
【０１９５】
結局、ボール状ドア９０の貫通通路９１はカートリッジ４０の軸方向に先端開口１１に中心一致して連通する。これと共に、貫通通路９１の内部には前進したリンク８０とチップ４１が位置するようになる。
【０１９６】
この時、相変らずカートリッジ４０のチップ４１はボール状ドア９０の貫通通路９１の内で非接触状態で位置しており、チップ４１のインキがボール状ドア９０の内壁のどこにも付かないようになって、先端開口１１の内側に位置したチップ４１の先端を肉眼で見ることができる。
【０１９７】
図１８Ｈは実施の形態２に係る筆記具の側面図であり、図１８Ｉは図１８Ｈの線Ｐ−Ｐに沿う断面図である。図１８Ｈ及び図１８Ｉに示すように、使用者がノック体の押し操作を完了してノック体３０が残りのストローク距離（たとえば、１２ｍｍ）ぐらい更に前進した状態を示す。
【０１９８】
また、使用者はスイッチ２０をガイドスリット１２の段差溝１３に嵌止されるように所定の角度で回転させてノック体３０とカートリッジ４０を軸筒１０の内部に固定させる。
【０１９９】
この場合に、チップ４１とクラッチ部４７の一部分は先端開口１１から抜け出て突出した状態を維持する。
【０２００】
スプリング６６は全体ストローク距離（たとえば、１６ｍｍ）に渡って前方に移動した状態であるから、弾性変形しない範囲内で圧縮された状態を維持する。それによって、内部には弾性エネルギーが最大に蓄えられて最大の弾力が発生できる状態になる。
【０２０１】
この状態において、使用者は本発明の筆記具を使用することができるようになる。
【０２０２】
一方、使用者はスイッチ解除操作を行なって突出した状態のチップ４１を軸筒１０の内部に没入させることができる。
【０２０３】
図１８Ｊは実施の形態２に係る筆記具の側面図であり、図１８Ｋは図１８Ｊの線Ｑ−Ｑに沿う断面図である。これらの図面に示すように、使用者はスイッチ２０をガイドスリット１２の段差溝１３から解除する方向に回転させる。
【０２０４】
この時、圧縮されたスプリング６６は内部に蓄えられていた弾性エネルギーにより伸張しながら、ノック体３０とカートリッジ４０を後進させて、前進時との逆順の過程で進行される。
【０２０５】
すなわち、後進するカートリッジ４０のクラッチ部４７はリンク８０のリンク穴８９に挿入され、前述したようにリンク８０の弾性片８０ａがクラッチ部４７に結着する。
【０２０６】
この場合、リンク８０もカートリッジ４０と共に後進しながら、リンク８０の平行ピン８２がボール状ドア９０を「−」９０°の回転角だけ回転させる。
【０２０７】
この場合、ボール状ドア９０は先端開口１１を閉鎖させて、チップ４１をボール状ドア９０の貫通通路９１の内側に安全で、かつ気密に受容させる。
【０２０８】
図１８Ｌは実施の形態２に係る筆記具の側面図であり、図１８Ｍは図１８Ｌの線Ｒ−Ｒに沿う断面図である。これらの図面に示すように、スプリング６６が元の長さに伸張された時、ノック体３０、カートリッジ４０、チップ４１、リンク８０は最初ストロークの開始位置に復帰する。
【０２０９】
（実施の形態３）
この実施の形態で説明する本発明の乾き防止装置を備えた出没式筆記具は実施の形態２と比較する時、スプリングを一つ更に備え、ボール状ドアがリンクホルダの回転支持軸で回転可能に結合されることによって、ボール状ドア、カートリッジ、Ｏリング、リンクホルダ、リンクの形状と結合構造が異なるように構成した点を除いては、実施の形態２と同一または似ている。したがって、図１Ａないし図２０Ｆで同一または対応する構成要素については、同一または類似の図面符号を付け、それらの構成要素についての重複説明は省略する。
【０２１０】
図面において、図１９は本発明の実施の形態３に係る乾き防止装置を備えた出没式筆記具の構成を説明するための分解斜視図であり、図２０Ａないし図２０Ｆは図１９に示した筆記具の結合関係及び作動関係を説明するための図面であり、図２０Ａ、図２０Ｃ及び図２０Ｅは筆記具の側面図であり、図２０Ｂは図２０Ａの線Ｓ−Ｓに沿う断面図であり、図２０Ｄは図２０Ｃの線Ｔ−Ｔに沿う断面図であり、図２０Ｆは図２０Ｅの線Ｕ−Ｕに沿う断面図である。
【０２１１】
図１９に示すように、本発明の筆記具は軸筒１０の内部にスイッチ２０ないし通常のカートリッジ出没装置をノック体３０とカートリッジ４０との間に装着する。軸筒１０の内部には、弾力を利用してカートリッジ４０を元の位置に復帰させるようにカートリッジ４０の前方に弾設された第一スプリング６６と、軸筒１０の内壁に沿ってスライドできるようにチップ延長部４５に外嵌されて気密を維持するＯリング５０と、このＯリング５０の内側に一端が挿設されている状態で軸筒１０の内部でチップ延長部４５上に装着されるリンクホルダ７０と、このリンクホルダ７０の内部で第２スプリング６７によって弾性支持されており、軟らかくて迅速なスライドが可能なように、クラッチ部４７が複数の弾性片８０ａ’に結着しているリンク８０と、軸筒１０の内部でリンク８０の直線往復移動に対応して所定角度で回転するように、ピン溝９２に嵌合する平行ピン８２によってリンク８０に結合されるボール状ドア９０を含む。
【０２１２】
特に、カートリッジ４０はタンク部４３とチップ延長部４５との間に形成された継手部４４’の軸方向長さが本実施の形態の第２スプリング６７の採用によって、相対的に短く形成されていることを特徴とする。
【０２１３】
また、カートリッジ４０のチップ延長部４５にはクラッチ部４７の最大直径より小さく、チップ延長部４５の直径よりは大きい直径を有するスライド円周部４５ｓが更に形成されている。
【０２１４】
本実施の形態によれば、スライド円周部４５ｓは下記のＯリング５０の小径穴と、リンクホルダ７０の後方部７２'の内周縁一端の阻止片に接触して気密性を増大させる。また、第２スプリング６７との間隔が最小化され、第２スプリング６７が装着された内部空間を最小化させることによって、作動性能を向上させると共に、内部空間に流入する空気量が最小化されてインキの乾き比率を最小化できる利点を提供する。
【０２１５】
また、第２スプリング６７はリンクホルダ７０のリンク貫設孔７９に挿入可能な直径を有し、組立時にはリンクホルダ７０の阻止片７２ａに支持されるように結合された後、リンク８０をスプリングの軸方向に押し出すようになる。
【０２１６】
ここで、リンクホルダ７０の両前端には一双の回転支持軸７８が形成されている。それぞれの回転支持軸７８のヒンジ孔７７にはボール状ドア９０のヒンジ軸９９が回転可能に嵌合する。
【０２１７】
この場合、ボール状ドア９０とリンクホルダ７０との間の摩擦抵抗が最小化するので、ボール状ドア９０とリンクホルダ７０との間から発生し得る振動や騷音を最小化させることができる。
【０２１８】
また、リンクホルダ７０の後方部７２'の軸方向の長さは第２スプリング６７を受容できるように、実施の形態１の後方部７２に比べて相対的に長い長さを有する。
【０２１９】
リンクホルダ７０の後方部７２'に挿入されるＯリング５０の場合もスプリング載置部６５'の長さが相対的に長く延びている。
【０２２０】
特に、Ｏリング５０の大径穴の軸方向長さはリンクホルダ７０の後方部７２'の軸方向長さと類似または同一な距離を有することを特徴とする。
【０２２１】
本発明の実施の形態３において、リンク８０の場合も実施の形態２で言及した嵌止片８０ｃの代りに、単純な円周面を有する複数の弾性片８０ａ’を提供する。
【０２２２】
以下、本発明の実施の形態３に係るチップの出没に関する作動関係を説明する。
【０２２３】
図２０Ａは実施の形態３に係る筆記具の側面図であり、図２０Ｂは図２０Ａの線Ｓ−Ｓに沿う断面図である。これらの図面に示すように、軸筒１０の内部でカートリッジ４０は、使用者がノック体３０を指などで押すと軸方向に前進する。この時、ノック部３０と結合されているＯリング５０とカートリッジ４０は密封状態を維持する。
【０２２４】
図２０Ｃは実施の形態３に係る筆記具の側面図であり、図２０Ｄは図２０Ｃの線Ｔ−Ｔに沿う断面図である。これらの図面に示すように、ノック体３０とカートリッジ４０は所定ストローク距離（たとえば、４ｍｍ）ぐらい前進移動した状態を示す作動図であり、ボール状ドア９０が開放方向に「＋」９０°の回転角だけ回転しながら、軸筒１０の先端開口１１を開放させた状態である。
【０２２５】
この時、カートリッジ４０とリンク８０は前述した実施の形態１におけるクラッチ部４７と弾性片８０ａの関係のように相互結着した状態で、ボール状ドア９０の貫通通路に内設される。
【０２２６】
図２０Ｅは実施の形態３に係る筆記具の側面図であり、図２０Ｆは図２０Ｅの線Ｕ−Ｕに沿う断面図である。これらの図面に示すように、カートリッジ４０とノック体３０が所定ストローク距離（たとえば、１２ｍｍ）ぐらい更に前方に移動して全てのストローク距離（たとえば、１６ｍｍ）を前進した後、チップ４１とクラッチ部４７の一部分が先端開口１１を抜け出して突出した状態を維持する。この時、前述したスイッチ２０を固定させたり通常のカートリッジ出没装置を固定させる場合、筆記などのような作業を行なうことができる。そして、チップ４１の没入過程は突出過程の逆順で行われる。
【０２２７】
本発明の好ましい実施形態は例示の目的のために開示したものであり、当業者ならば本発明の思想と範囲の内で多様な修正、変更、追加などが可能であり、このような修正や変更などは以下の特許請求の範囲に属するものと見なさなければならない。
【図面の簡単な説明】
【０２２８】
【図１Ａ】本発明の実施の形態１に係る乾き防止装置を備えた出没式筆記具を示す斜視図
【図１Ｂ】本発明の実施の形態１に係る乾き防止装置を備えた出没式筆記具を示す斜視図
【図２】図１Ａに示した筆記具の内部構成を示すための分解斜視図
【図３Ａ】図２に示した胴体ケースに該当する軸筒の正面図
【図３Ｂ】図３Ａの線Ａ−Ａに沿う断面図
【図４Ａ】図２に示したノック体の正面図
【図４Ｂ】図４Ａの線Ｂ−Ｂに沿う断面図
【図５Ａ】図２に示したインキ貯蔵部に該当するカートリッジの正面図
【図５Ｂ】図５Ａの線Ｃ−Ｃに沿う断面図
【図５Ｃ】図５Ａの線Ｄ−Ｄに沿う断面図
【図５Ｄ】図５Ａの線Ｅ−Ｅに沿う断面図
【図６Ａ】図２に示したリンクホルダの後面部の形状を示す斜視図
【図６Ｂ】図２に示したリンクホルダの正面図
【図６Ｃ】図２に示したリンクホルダの左側面図
【図６Ｄ】図６Ｃの線Ｆ−Ｆに沿う断面図
【図７Ａ】図２に示したリンクの後面部の形状を示す斜視図
【図７Ｂ】図２に示したリンクの左側面図
【図７Ｃ】図７Ｂの線Ｇ−Ｇに沿う断面図
【図７Ｄ】図２に示したリンクの平面図
【図７Ｅ】図７Ｄの線Ｈ−Ｈに沿う断面図
【図７Ｆ】図７Ａに示したリンクの正面図
【図８Ａ】図２に示したボール状ドアの内側形状を示す斜視図
【図８Ｂ】図２に示したボール状ドアの左側面図
【図８Ｃ】図８Ｂの線Ｉ−Ｉに沿う断面図
【図８Ｄ】図２に示したボール状ドアの平面図
【図８Ｅ】図８Ｄの線Ｊ−Ｊに沿う断面図
【図８Ｆ】図８Ｄの線Ｋ−Ｋに沿う断面図
【図８Ｇ】図８Ａに示したボール状ドアの正面図
【図９Ａ】図１Ａに示した筆記具の側面図
【図９Ｂ】図９Ａの線Ｌ−Ｌに沿う断面図
【図１０Ａ】軸筒を除外した内部作動モジュールが漸次に前進する作動状態を説明するための斜視図
【図１０Ｂ】軸筒を除外した内部作動モジュールが漸次に前進する作動状態を説明するための斜視図
【図１０Ｃ】軸筒を除外した内部作動モジュールが漸次に前進する作動状態を説明するための斜視図
【図１１Ａ】本発明に係る筆記具のチップの没入から突出まで漸次に突出する動作状態を説明するための断面図
【図１１Ｂ】本発明に係る筆記具のチップの没入から突出まで漸次に突出する動作状態を説明するための断面図
【図１１Ｃ】本発明に係る筆記具のチップの没入から突出まで漸次に突出する動作状態を説明するための断面図
【図１２】本発明の実施の形態２に係る乾き防止装置を備えた出没式筆記具の構成を示す分解斜視図
【図１３】図１２に示したカートリッジの断面図
【図１４】図１２に示したＯリングの断面図
【図１５】図１２に示したリンクホルダの断面図
【図１６】図１２に示したリンクの断面図
【図１７】図１２に示したボール状ドアの断面図
【図１８Ａ】図１２に示した筆記具の構造および動作を説明するための図
【図１８Ｂ】図１２に示した筆記具の構造および動作を説明するための図
【図１８Ｃ】図１２に示した筆記具の構造および動作を説明するための図
【図１８Ｄ】図１２に示した筆記具の構造および動作を説明するための図
【図１８Ｅ】図１２に示した筆記具の構造および動作を説明するための図
【図１８Ｆ】図１２に示した筆記具の構造および動作を説明するための図
【図１８Ｇ】図１２に示した筆記具の構造および動作を説明するための図
【図１８Ｈ】図１２に示した筆記具の構造および動作を説明するための図
【図１８Ｉ】図１２に示した筆記具の構造および動作を説明するための図
【図１８Ｊ】図１２に示した筆記具の構造および動作を説明するための図
【図１８Ｋ】図１２に示した筆記具の構造および動作を説明するための図
【図１８Ｌ】図１２に示した筆記具の構造および動作を説明するための図
【図１８Ｍ】図１２に示した筆記具の構造および動作を説明するための図
【図１９】本発明の実施の形態３に係る乾き防止装置を備えた出没式筆記具の構成を示す分解斜視図
【図２０Ａ】図１９に示した筆記具の左側面図
【図２０Ｂ】図２０Ａの線Ｓ−Ｓに沿う断面図
【図２０Ｃ】図１９に示した筆記具の左側面図
【図２０Ｄ】図２０Ｃの線Ｔ−Ｔに沿う断面図
【図２０Ｅ】図１９に示した筆記具の左側面図
【図２０Ｆ】図２０Ｅの線Ｕ−Ｕに沿う断面図
【図１Ａ】
0004611055.tif 000008
【図１Ｂ】
0004611055.tif 000009
【図２】
0004611055.tif 000010
【図３Ａ】
0004611055.tif 000011
【図３Ｂ】
0004611055.tif 000012
【図４Ａ】
0004611055.tif 000013
【図４Ｂ】
0004611055.tif 000014
【図５Ａ】
0004611055.tif 000015
【図５Ｂ】
0004611055.tif 000016
【図５Ｃ】
0004611055.tif 000017
【図５Ｄ】
0004611055.tif 000018
【図６Ａ】
0004611055.tif 000019
【図６Ｂ】
0004611055.tif 000020
【図６Ｃ】
0004611055.tif 000021
【図６Ｄ】
0004611055.tif 000022
【図７Ａ】
0004611055.tif 000023
【図７Ｂ】
0004611055.tif 000024
【図７Ｃ】
0004611055.tif 000025
【図７Ｄ】
0004611055.tif 000026
【図７Ｅ】
0004611055.tif 000027
【図７Ｆ】
0004611055.tif 000028
【図８Ａ】
0004611055.tif 000029
【図８Ｂ】
0004611055.tif 000030
【図８Ｃ】
0004611055.tif 000031
【図８Ｄ】
0004611055.tif 000032
【図８Ｅ】
0004611055.tif 000033
【図８Ｆ】
0004611055.tif 000034
【図８Ｇ】
0004611055.tif 000035
【図９Ａ】
0004611055.tif 000036
【図９Ｂ】
0004611055.tif 000037
【図１０Ａ】
0004611055.tif 000038
【図１０Ｂ】
0004611055.tif 000039
【図１０Ｃ】
0004611055.tif 000040
【図１１Ａ】
0004611055.tif 000041
【図１１Ｂ】
0004611055.tif 000042
【図１１Ｃ】
0004611055.tif 000043
【図１２】
0004611055.tif 000044
【図１３】
0004611055.tif 000045
【図１４】
0004611055.tif 000046
【図１５】
0004611055.tif 000047
【図１６】
0004611055.tif 000048
【図１７】
0004611055.tif 000049
【図１８Ａ】
0004611055.tif 000050
【図１８Ｂ】
0004611055.tif 000051
【図１８Ｃ】
0004611055.tif 000052
【図１８Ｄ】
0004611055.tif 000053
【図１８Ｅ】
0004611055.tif 000054
【図１８Ｆ】
0004611055.tif 000055
【図１８Ｇ】
0004611055.tif 000056
【図１８Ｈ】
0004611055.tif 000057
【図１８Ｉ】
0004611055.tif 000058
【図１８Ｊ】
0004611055.tif 000059
【図１８Ｋ】
0004611055.tif 000060
【図１８Ｌ】
0004611055.tif 000061
【図１８Ｍ】
0004611055.tif 000062
【図１９】
0004611055.tif 000063
【図２０Ａ】
0004611055.tif 000064
【図２０Ｂ】
0004611055.tif 000065
【図２０Ｃ】
0004611055.tif 000066
【図２０Ｄ】
0004611055.tif 000067
【図２０Ｅ】
0004611055.tif 000068
【図２０Ｆ】
0004611055.tif 000069